【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
複数のプリンタとネットワークを介して接続される、印刷データをユーザ識別情報と対応付けて管理する印刷管理サーバであって、
第１のプリンタからユーザ識別情報を受信する受信手段と、
前記受信手段で受信したユーザ識別情報に対応付けられている印刷データを前記第１のプリンタへ送信する印刷データ送信手段と、
第２のプリンタから受信する、前記印刷データ送信手段で前記第１のプリンタへ送信する印刷データに対応付くユーザ識別情報に一致するユーザ識別情報に従って、前記印刷データ送信手段で行う前記第１のプリンタへの印刷データの送信を中断する中断手段とを備え、
前記印刷データ送信手段は、前記中断手段で印刷データの送信を中断することで未印刷となる印刷データを、前記第２のプリンタに送信することを特徴とする印刷管理サーバ。
【請求項２】
前記中断手段で前記第１のプリンタに対する印刷データの送信が中断された場合、前記印刷データの送信が中断されたことを示すメッセージを前記第２のプリンタに対して送信するメッセージ送信手段を備えることを特徴とする請求項１に記載の印刷管理サーバ。
【請求項３】
前記受信手段で前記第１のプリンタから受信したユーザ識別情報に対応付けられている印刷データを、前記ユーザ識別情報を受信した前記第１のプリンタで印刷するために印刷予約する印刷予約手段とを備え、
前記印刷データ送信手段は、前記受信手段で受信したユーザ識別情報に対応付けられている印刷データのうち、前記印刷予約手段で予約された印刷データをプリンタに送信することを特徴とする請求項１又は２に記載の印刷管理サーバ。
【請求項４】
前記印刷予約手段は、前記受信手段で受信したユーザ識別情報と、前記印刷データ送信手段で送信する印刷データの印刷データ識別情報と、前記印刷データを送信するプリンタのプリンタ識別情報とを対応付けて記憶し、
前記印刷予約手段は、前記中断手段で前記第１のプリンタに対する印刷データの送信を中断することで未印刷となる印刷データを前記第２プリンタに送信するために、前記記憶されるプリンタ識別情報を当該第２のプリンタのプリンタ識別情報に変更することを特徴とする請求項３に記載の印刷管理サーバ。
【請求項５】
前記印刷データ送信手段で送信した印刷データを印刷完了データとして管理する管理手段と、
前記受信手段で前記第１のプリンタからユーザ識別情報を受信した場合、前記ユーザ識別情報に対応する印刷データのうち、未印刷として管理されている印刷データの一覧情報を前記第１のプリンタへ送信する一覧情報送信手段と、
を備えることを特徴とする請求項１乃至４のいずれか１項に記載の印刷管理サーバ。
【請求項６】
前記ユーザ識別情報を受信したプリンタに前記印刷データの一覧情報を送信するか否かを判定する判定手段と、
前記一覧情報送信手段は、前記判定手段で前記第１のプリンタが一覧情報を送信するプリンタであると判定された場合に、当該第１のプリンタに前記受信手段で受信したユーザ識別情報に対応する印刷データの一覧情報を送信し、
前記印刷データ送信手段は、前記判定手段で前記第１のプリンタが一覧情報を送信しないプリンタであると判定された場合に、当該第１のプリンタに前記一覧情報送信手段で一覧情報を送信することなく、受信したユーザ識別情報に対応する印刷データを送信することを特徴とする請求項５に記載の印刷管理サーバ。
【請求項７】
印刷のキャンセルを行うために、印刷処理中であるプリンタに印刷のキャンセル命令を送信する印刷キャンセル命令手段と、
前記中断手段で印刷データの送信を中断した場合に、印刷データの送信を中断した前記第１のプリンタの印刷処理状態を判定する印刷処理状態判定手段とを備え、
前記印刷キャンセル命令手段は、前記印刷処理状態判定手段で印刷処理状態が印刷処理中であると判定された場合に、印刷処理中である前記第１のプリンタに印刷のキャンセル命令を送信することを特徴とする請求項１乃至６のいずれか１項に記載の印刷管理サーバ。
【請求項８】
複数のプリンタと印刷データをユーザ識別情報と対応付けて管理する印刷管理サーバとがネットワークを介して接続される印刷システムであって、
前記印刷管理サーバは、
第１のプリンタからユーザ識別情報を受信する受信手段と、
前記受信手段で受信したユーザ識別情報に対応付けられている印刷データを前記第１のプリンタに送信する印刷データ送信手段と、
第２のプリンタから受信する、前記印刷データ送信手段で前記第１のプリンタへ送信する印刷データに対応付くユーザ識別情報に一致するユーザ識別情報に従って、前記印刷データ送信手段で行う前記第１のプリンタへの印刷データの送信を中断する中断手段とを備え、
前記印刷データ送信手段は、前記中断手段で印刷データの送信を中断することで未印刷となる印刷データを、前記第２のプリンタに送信する
ことを特徴とし、
前記第１又は第２のプリンタは、
ユーザ識別情報の入力を受け付けるユーザ識別情報受付手段と、
前記受付手段で受け付けたユーザ識別情報を前記印刷管理サーバへ送信するユーザ識別情報送信手段と、
前記印刷管理サーバから受信した印刷データを印刷する印刷手段とを備える
ことを特徴とする印刷システム。
【請求項９】
複数のプリンタとネットワークを介して接続される、印刷データをユーザ識別情報と対応付けて管理する印刷管理サーバの制御方法であって、
受信手段が、第１のプリンタからユーザ識別情報を受信する受信ステップと、
印刷データ送信手段が、前記受信ステップで受信したユーザ識別情報に対応付けられている印刷データを前記第１のプリンタへ送信する印刷データ送信ステップと、
中断手段が、第２のプリンタから受信する、前記印刷データ送信ステップで前記第１のプリンタへ送信する印刷データに対応付くユーザ識別情報に一致するユーザ識別情報に従って、前記印刷データ送信ステップで行う前記第１のプリンタへの印刷データの送信を中断する中断ステップとを実行し、
前記印刷データ送信ステップは、前記中断ステップで印刷データの送信を中断することで未印刷となる印刷データを、前記第２のプリンタに送信する
ことを特徴とする印刷管理サーバの制御方法。
【請求項１０】
複数のプリンタと印刷データをユーザ識別情報と対応付けて管理する印刷管理サーバとがネットワークを介して接続される印刷システムの制御方法であって、
前記印刷管理サーバは、
受信手段が、第１のプリンタからユーザ識別情報を受信する受信ステップと、
印刷データ送信手段が、前記受信ステップで受信したユーザ識別情報に対応付けられている印刷データを前記第１のプリンタに送信する印刷データ送信ステップと、
中断手段が、第２のプリンタから受信する、前記印刷データ送信ステップで前記第１のプリンタへ送信する印刷データに対応付くユーザ識別情報に一致するユーザ識別情報に従って、前記印刷データ送信ステップで前記第１のプリンタへ印刷データの送信を中断する中断ステップとを実行し、
前記印刷データ送信ステップは、前記中断ステップで印刷データの送信を中断することで未印刷となる印刷データを、前記第２のプリンタに送信する
ことを特徴とし、
前記第１又は第２のプリンタは、
ユーザ識別情報受付手段が、ユーザ識別情報の入力を受け付けるユーザ識別情報受付ステップと、
ユーザ識別情報送信手段が、前記受付ステップで受け付けたユーザ識別情報を前記印刷管理サーバへ送信するユーザ識別情報送信ステップと、
印刷手段が、前記印刷管理サーバから受信した印刷データを印刷する印刷ステップとを実行する
ことを特徴とする印刷システムの制御方法。
【請求項１１】
複数のプリンタとネットワークを介して接続される、印刷データをユーザ識別情報と対応付けて管理する印刷管理サーバを、
第１のプリンタからユーザ識別情報を受信する受信手段と、
前記受信手段で受信したユーザ識別情報に対応付けられている印刷データを前記第１のプリンタへ送信する印刷データ送信手段と、
第２のプリンタから受信する、前記印刷データ送信手段で前記第１のプリンタへ送信する印刷データに対応付くユーザ識別情報に一致するユーザ識別情報に従って、前記印刷データ送信手段で行う前記第１のプリンタへの印刷データの送信を中断する中断手段として機能させ、
前記印刷データ送信手段は、前記中断手段で印刷データの送信を中断することで未印刷となる印刷データを、前記第２のプリンタに送信することを特徴とするプログラム。
【請求項１２】
複数のプリンタと印刷データをユーザ識別情報と対応付けて管理する印刷管理サーバとがネットワークを介して接続される印刷システムを機能させるためのプログラムであって、
前記印刷管理サーバを、
第１のプリンタからユーザ識別情報を受信する受信手段と、
前記受信手段で受信したユーザ識別情報に対応付けられている印刷データを前記第１のプリンタに送信する印刷データ送信手段と、
第２のプリンタから受信する、前記印刷データ送信手段で前記第１のプリンタへ送信する印刷データに対応付くユーザ識別情報に一致するユーザ識別情報に従って、前記印刷データ送信手段で行う前記第１のプリンタへの印刷データの送信を中断する中断手段として機能させ、
前記印刷データ送信手段は、前記中断手段で印刷データの送信を中断することで未印刷となる印刷データを、前記第２のプリンタに送信することを特徴とし、
前記第１又は第２のプリンタを、
ユーザ識別情報の入力を受け付けるユーザ識別情報受付手段と、
前記受付手段で受け付けたユーザ識別情報を前記印刷管理サーバへ送信するユーザ識別情報送信手段と、
前記印刷管理サーバから受信した印刷データを印刷する印刷手段として機能させる
ことを特徴とするプログラム。
【手続補正２】
【補正対象書類名】明細書
【補正対象項目名】発明の名称
【補正方法】変更
【補正の内容】
【発明の名称】印刷管理サーバ、印刷システム、印刷管理サーバの制御方法、印刷システムの制御方法、およびプログラム
【手続補正３】
【補正対象書類名】明細書
【補正対象項目名】０００１
【補正方法】変更
【補正の内容】
【０００１】
本発明は、複数のプリンタとネットワークを介して接続される、印刷データをユーザ識別情報と対応付けて管理する印刷管理サーバの制御に関する。
【手続補正４】
【補正対象書類名】明細書
【補正対象項目名】０００６
【補正方法】変更
【補正の内容】
【０００６】
本発明の目的は、常にユーザ識別情報を送信してきたプリンタに対して印刷処理を実行させることにより、プリンタのセキュリティを高める仕組を提供することである。
【手続補正５】
【補正対象書類名】明細書
【補正対象項目名】０００７
【補正方法】変更
【補正の内容】
【０００７】
本発明は、複数のプリンタとネットワークを介して接続される、印刷データをユーザ識別情報と対応付けて管理する印刷管理サーバであって、第１のプリンタからユーザ識別情報を受信する受信手段と、前記受信手段で受信したユーザ識別情報に対応付けられている印刷データを前記第１のプリンタへ送信する印刷データ送信手段と、第２のプリンタから受信する、前記印刷データ送信手段で前記第１のプリンタへ送信する印刷データに対応付くユーザ識別情報に一致するユーザ識別情報に従って、前記印刷データ送信手段で行う前記第１のプリンタへの印刷データの送信を中断する中断手段とを備え、前記印刷データ送信手段は、前記中断手段で印刷データの送信を中断することで未印刷となる印刷データを、前記第２のプリンタに送信することを特徴とする。
【手続補正６】
【補正対象書類名】明細書
【補正対象項目名】０００８
【補正方法】変更
【補正の内容】
【０００８】
本発明によれば、常にユーザ識別情報が送信してきたプリンタに対して印刷処理を実行させることにより、プリンタのセキュリティを高めることができる等の効果を奏する。